(57)【要約】      （修正有）【課題】使い捨て用のクリームパッケージが倒れて流れ出たクリームや使用後のスプーンに付着したコーヒーによってコーヒーカップや受け皿、その周囲のテーブルが汚れたり衣類に付着するのを防止するコーヒーカップ受け皿を提供する。【解決手段】上面の中央部にはコーヒーカップの底部を置くカップ置き用凹み部１１０を有すると共に、カップ置き用凹み部の周囲近傍に使い捨てのカップ状クリームパッケージの底部を置くクリームパッケージ用凹み部１２０を有し、カップ置き用凹み部の周囲近傍であってクリームパッケージ用凹み部に隣接する位置にコーヒーカップ内のコーヒーを攪拌するスプーン用凹み部１３０を有するコーヒーカップ受け皿１００であって、スプーン用凹み部は、スプーンの皿を上側に向けて置くスプーン皿置き部１３１と、スプーン皿置き部から離間する方向に延在しスプーンの柄を置くスプーン柄置き部１３２からなる。【選択図】図１
0003196490.tif 000002
【実用新案登録請求の範囲】
【請求項１】
コーヒーカップを載せるコーヒーカップ受け皿において、
前記コーヒーカップ受け皿の上面の中央部にはコーヒーカップの底部を置くカップ置き用凹み部を有すると共に、当該カップ置き用凹み部の周囲近傍に使い捨てのカップ状クリームパッケージの底部を置くクリームパッケージ用凹み部を有し、かつ前記カップ置き用凹み部の周囲近傍であってクリームパッケージ用凹み部に隣接する位置にコーヒーカップ内のコーヒーを攪拌するスプーン用凹み部を有するコーヒーカップ受け皿であって、
前記スプーン用凹み部は、前記スプーンの皿を上側に向けた状態で置くためのスプーン皿置き部と、当該スプーン皿置き部から離間する方向に延在しスプーンの柄を置くスプーン柄置き部からなることを特徴とするコーヒーカップ受け皿。
【請求項２】
前記スプーン柄置き部は前記スプーン用凹み部にスプーンを置いた状態で当該スプーンの柄の先端が前記コーヒーカップ受け皿から離間する形状となっていることを特徴とする請求項１に記載のコーヒーカップ受け皿。
【請求項３】
前記スプーン柄置き部は、前記コーヒーカップ受け皿の外周縁にまで延在し、かつ当該スプーン柄置き部の長さは前記スプーン用凹み部に前記スプーンを置いた状態で当該スプーンの柄の先端が前記コーヒーカップ受け皿の外周部から突出する長さになっており、前記スプーン柄置き部の前記コーヒーカップ受け皿の外周縁における凹み形状は、前記コーヒーカップ受け皿の使用に際して、前記コーヒーカップ受け皿に前記スプーンを載せた状態で当該スプーンの先端部を前記コーヒーカップ受け皿の周囲方向に動かすことで当該コーヒーカップ受け皿全体がこれに応じて回転する形状となっていることを特徴とする請求項１又は請求項２に記載のコーヒーカップ受け皿。
【請求項４】
前記コーヒーカップ受け皿の底部には、当該コーヒーカップ受け皿をテーブルに安定した状態でおくための突出部が備わり、当該突出部の高さは、前記コーヒーカップ受け皿同士を上下方向に重ね合わせた場合において、前記上側のコーヒーカップ受け皿の突出部が前記下側のコーヒーカップ受け皿のカップ置き用凹み部に載ると共に、前記上側のコーヒーカップ受け皿の下面が前記下側のコーヒーカップ受け皿の上面に干渉しない程度の高さになっていることを特徴とする請求項１乃至請求項３の何れかに記載のコーヒーカップ受け皿。
【考案の詳細な説明】
【技術分野】
【０００１】
本考案は、コーヒーカップや紅茶のカップを置くことができるいわゆるコーヒーカップ受け皿に関する。
【背景技術】
【０００２】
上面にコーヒーカップを置くとともにその周囲に１回限りのクリームの使用分の入った蓋を剥がして使う使い捨てのクリームパッケージやコーヒーカップ内のコーヒーを攪拌するスプーンをその周囲に載せるコーヒーカップ受け皿が知られている（例えば、特許文献１参照）。
【先行技術文献】
【特許文献】
【０００３】
【特許文献１】特２０１１−３４０１９９号公報
【考案の概要】
【考案が解決しようとする課題】
【０００４】
上記特許文献１に置いて開示されたコーヒーカップ受け皿によると、コーヒーカップの置き場所のみ特定されているだけで、使い捨て用のクリームパッケージや使用後のスプーンの置く場所が特定されていないため、コーヒーカップの横の受け皿の平たい上面に使い捨て用のクリームパッケージや使用後のスプーンを適当に置くことになる。このような置き方をすると、蓋を剥がした状態の使い捨て用のクリームパッケージが倒れて流れ出たり、裏返しになって置かれたスプーンの受け皿からコーヒーが垂れ出たりしてコーヒーカップやその受け皿、その周囲のテーブルが汚れたり衣類に付着したりしてしまう。
【０００５】
本発明の目的は、使い捨て用のクリームパッケージが倒れて流れ出したクレームや使用後のスプーンに付着したコーヒーによってコーヒーカップやその受け皿、その周囲のテーブルが汚れたり衣類に付着したりするのを防止するとともに、複数枚安定して積み重ねて保管できる使い勝手と清潔感に優れたコーヒーカップ受け皿を提供することにある。
【課題を解決するための手段】
【０００６】
上記目的を達成するために本考案の請求項１に係るコーヒーカップ受け皿は、
コーヒーカップを載せるコーヒーカップ受け皿において、
前記コーヒーカップ受け皿の上面の中央部にはコーヒーカップの底部を置くカップ置き用凹み部を有すると共に、当該カップ置き用凹み部の周囲近傍に使い捨てのカップ状クリームパッケージの底部を置くクリームパッケージ用凹み部を有し、かつ前記カップ置き用凹み部の周囲近傍であってクリームパッケージ用凹み部に隣接する位置にコーヒーカップ内のコーヒーを攪拌するスプーン用凹み部を有するコーヒーカップ受け皿であって、
前記スプーン用凹み部は、前記スプーンの皿を上側に向けた状態で置くためのスプーン皿置き部と、当該スプーン皿置き部から離間する方向に延在しスプーンの柄を置くスプーン柄置き部からなることを特徴としている。
【０００７】
また、本考案の請求項２に係るコーヒーカップ受け皿は、請求項１に記載のコーヒーカップ受け皿において、
前記スプーン柄置き部は前記スプーン用凹み部にスプーンを置いた状態で当該スプーンの柄の先端が前記コーヒーカップ受け皿から離間する形状となっていることを特徴としている。
【０００８】
また、本考案の請求項３に係るコーヒーカップ受け皿は、請求項１又は請求項２に記載のコーヒーカップ受け皿において、
前記スプーン柄置き部は、前記コーヒーカップ受け皿の外周縁にまで延在し、かつ当該スプーン柄置き部の長さは前記スプーン用凹み部に前記スプーンを置いた状態で当該スプーンの柄の先端が前記コーヒーカップ受け皿の外周部から突出する長さになっており、前記スプーン柄置き部の前記コーヒーカップ受け皿の外周縁における凹み形状は、前記コーヒーカップ受け皿の使用に際して、前記コーヒーカップ受け皿に前記スプーンを載せた状態で当該スプーンの先端部を前記コーヒーカップ受け皿の周囲方向に動かすことで当該コーヒーカップ受け皿全体がこれに応じて回転する形状となっていることを特徴としている。
【０００９】
また、本考案の請求項４に係るコーヒーカップ受け皿は、請求項１乃至請求項３の何れかに記載のコーヒーカップ受け皿において、
前記コーヒーカップ受け皿の底部には、当該コーヒーカップ受け皿をテーブルに安定した状態でおくための突出部が備わり、当該突出部の高さは、前記コーヒーカップ受け皿同士を上下方向に重ね合わせた場合において、前記上側のコーヒーカップ受け皿の突出部が前記下側のコーヒーカップ受け皿のカップ置き用凹み部に載ると共に、前記上側のコーヒーカップ受け皿の下面が前記下側のコーヒーカップ受け皿の上面に干渉しない程度の高さになっている。
【考案の効果】
【００１０】
本考案によると、使い捨て用のクリームパッケージが倒れて流れ出たクレームや使用後のスプーンに付着したコーヒーによってコーヒーカップやその受け皿、その周囲のテーブルが汚れたり衣類に付着したりするのを防止するとともに、複数枚安定して積み重ねて保管できる使い勝手と清潔感に優れたコーヒーカップ受け皿を提供することができる。
【図面の簡単な説明】
【００１１】
【図１】本考案に係るコーヒーカップ受け皿の斜視図である。
【図２】図１に示したコーヒーカップ受け皿にコーヒーカップ、クリームパッケージ、及びスプーンを乗せた状態を示す斜視図である。
【図３】本考案に係るコーヒーカップ受け皿を上から見た図である。
【図４】本考案に係るコーヒーカップ受け皿を下から見た図である。
【図５】本考案に係るコーヒーカップ受け皿を図３における右側から見た図である。
【図６】本考案に係るコーヒーカップ受け皿を図３における左側から見た図である。
【図７】本考案に係るコーヒーカップ受け皿を図３における上側から見た図である。
【図８】本考案に係るコーヒーカップ受け皿を図３における下側から見た図である。
【図９】本考案に係るコーヒーカップ受け皿の図３におけるA-A断面図である。
【図１０】本考案に係るコーヒーカップ受け皿の図３におけるB-B断面図である。
【図１１】本考案に係るコーヒーカップ受け皿の図３におけるC-C断面図である。
【考案を実施するための形態】
【００１２】
以下、本考案の一実形態に係るコーヒーカップ受け皿について図面に基づいて説明する。図１は、本考案に係るコーヒーカップ受け皿の斜視図である。また、図３は、本考案に係るコーヒーカップ受け皿を上から見た図である。また、図４は、本考案に係るコーヒーカップ受け皿を下から見た図である。また、図５は、本考案に係るコーヒーカップ受け皿を図３における右側から見た図である。また、図６は、本考案に係るコーヒーカップ受け皿を図３における左側から見た図である。また、図７は、本考案に係るコーヒーカップ受け皿を図３における上側から見た図である。また、図８は、本考案に係るコーヒーカップ受け皿を図３における下側から見た図である。また、図９は、本考案に係るコーヒーカップ受け皿の図３におけるA-A断面図である。また、図１０は、本考案に係るコーヒーカップ受け皿の図３におけるB-B断面図である。また、図１１は、本考案に係るコーヒーカップ受け皿の図３におけるC-C断面図である。
【００１３】
本考案の一実施形態に係るコーヒーカップ受け皿１００（以下、単に「コーヒーカップ受け皿」とする）は、コーヒーカップ２００を載せるコーヒーカップ受け皿であって、材質は樹脂又は焼き物、木材などコーヒーカップ受け皿１００の材質として相応しいものでできている。なお、コーヒーカップ２００の代わりに紅茶のカップを置くことも可能であるが、以下の説明においてはコーヒーカップ受け皿と称して記載する。
【００１４】
コーヒーカップ受け皿１００の上面の中央部にはコーヒーカップ２００の底部２１０を置くカップ置き用凹み部１１０を有すると共に、カップ置き用凹み部１１０の周囲近傍に使い捨てのカップ状クリームパッケージ３００の底部を置くクリームパッケージ用凹み部１２０を有している。また、コーヒーカップ受け皿１００は、カップ置き用凹み部１１０の周囲近傍であってクリームパッケージ用凹み部１２０に隣接する位置にコーヒーカップ内のコーヒーを攪拌するスプーンを置くスプーン用凹み部１３０を有している。
【００１５】
スプーン用凹み部１３０は、スプーン４００の皿４１０を上側に向けた状態で置くためのスプーン皿置き部１３１と、スプーン皿置き部１３１から離間する方向に延在しスプーン４００の柄４２０を置くスプーン柄置き部１３２からなる。
【００１６】
そして、スプーン柄置き部１３２は、コーヒーカップ受け皿１００の外周縁にまで延在している。また、スプーン柄置き部１３２の長さは、スプーン用凹み部１３０にスプーン４００を置いた状態でスプーン４００の柄４２０の先端がコーヒーカップ受け皿１００の外周縁１０１から突出する長さになっている。また、スプーン柄置き部１３２はコーヒーカップ受け皿１００の外周縁１０１まで達し、この外周縁１０１に角張った凹み開口部１３２ａを形成している。なお、本考案においては、このようなコーヒーカップ受け皿１００の外周縁１０１に角張った凹み開口部１３２ａを有する代わりに、スプーン柄置き部の深さは外周縁に向かって徐々に浅くなっていくようにしても良いし、外周縁において縁部上面と一致するように徐々に浅くなっていくようにしても良い。
【００１７】
また、コーヒーカップ受け皿１００の底部１０２には、コーヒーカップ受け皿１００をテーブルに安定した状態でおくための突出部１４０が備わっている。そして、突出部１４０の高さは、コーヒーカップ受け皿同士を上下方向に重ね合わせた場合において、上側のコーヒーカップ受け皿１００の突出部１４０が下側のコーヒーカップ受け皿１００のカップ置き用凹み部１１０に載ると共に、上側のコーヒーカップ受け皿１００の下面が下側のコーヒーカップ受け皿１００の上面に干渉しない程度の高さになっている。また、上側のコーヒーカップ受け皿１００の底部１０２に備わった突出部１４０の外径が下側のコーヒーカップ受け皿１００のカップ置き用凹み部１１０の内径よりもわずかに小さくなっているため、この突出部１４０がカップ置き用凹み部１１０にほとんどずれることなく同芯上に嵌り合う。これにより、コーヒーカップ受け皿１００を複数枚重ね合わせても安定した状態で垂直方向に重ね合わすことができる。
【００１８】
以下に、本実施形態に係るコーヒーカップ受け皿の作用について説明する。図２は、図１に示したコーヒーカップ受け皿１００にコーヒーカップ２００、クリームパッケージ３００、及びスプーン４００を乗せた状態を示す斜視図である。
【００１９】
上述の実施形態に係るコーヒーカップ受け皿１００によると、コーヒーカップ内のコーヒーにクリームを入れてスプーン４００でかき混ぜた後、例えばクリームの一部が残ったクリームパッケージ３００をコーヒーカップ受け皿１００のクリームパッケージ用凹み部１２０にその底部が嵌り込むように正しい姿勢で置くことによって、従来のコーヒーカップ受け皿のようにクリームパッケージを置く部分が斜めにならずクリームパッケージが倒れてコーヒーカップ受け皿にクリームの一部が流れ出てコーヒーカップ受け皿を汚してしまうことがない。
【００２０】
また、このような事態が生じるのを避けるために、従来のコーヒーカップ受け皿のように使用済みのクリームパッケージをコーヒーカップ受け皿の周囲のテーブル上に置いてこのクリームパッケージを何らかの拍子で倒してテーブル上にクリームが流れ出てテーブルを汚してしまうこともない。
【００２１】
また、本考案に係るコーヒーカップ受け皿１００がスプーン用凹み部１３０を有していることで、コーヒーカップ内のコーヒーにクリームを入れてスプーン４００でかき混ぜた後、この使用後のスプーン４００をコーヒーカップ受け皿１００の所定位置に所定の向きで置いておくことができるので、上述のクリームパッケージ３００と同様にコーヒーカップ受け皿１００やコーヒーカップ２００を無用に汚してしまうことがない。
【００２２】
また、コーヒーカップ受け皿１００の周囲のテーブルにわざわざスプーン４００を置かずに済むので、スプーンに４００付着したコーヒーによってテーブルを汚すこともない。また、スプーン用凹み部１３０の一部からスプーン４００の柄がコーヒーカップ受け皿１００の外側に突出するようにスプーン４００をコーヒーカップ受け皿１００に置くことできるので、コーヒーカップ内のコーヒーを再度かき混ぜる場合やクリームの他に砂糖を加えて再度かき混ぜる場合などにスプーン４００の柄４２０を指で簡単に摘んでコーヒーカップ内のコーヒーを再度かき混ぜることができる。
【００２３】
また、使用後のクリームパッケージ３００やスプーン４００がコーヒーカップ受け皿１００の所定位置に所定の向きで置いておくことができるので、クリームパッケージ３００からこぼれたクリームやスプーンに溜まったコーヒーにうっかりと袖口を付けてしまい大切な衣服が汚れてしまうことも避けることができる。また、使用後のコーヒーカップ受け皿１００にクリームやコーヒーがこぼれて付着することがないので、コーヒーカップ受け皿１００を楽に洗うことができる。
【００２４】
これによって、本考案に係るコーヒーカップ受け皿１００を家庭用に使用した場合であっても、又はファミリーレストランなどにおいて業務用に使用した場合であっても、共にこのコーヒーカップ受け皿１００の特徴的なクリームパッケージ用凹み部１２０とスプーン用凹み部１３０の組み合わせから使用者に使い勝手の良さや清潔感を実感してもらうことができる。
【００２５】
また、本考案に係るコーヒーカップ受け皿１００は、その受け皿の底部１０２に形成された底面視円形の突出部１４０がある程度の高さを有しおり、この円形の突出部１４０がコーヒーカップ受け皿１００の上面のカップ置き用凹み部１１０に丁度嵌る程度の大きさとなっており、かつこのように嵌めた状態で重ね合わされた上側のコーヒーカップ受け皿１００の下面が下側のコーヒーカップ受け皿１００の上面に干渉しないようになっているので、多数のコーヒーカップ受け皿１００を重ね合わせた状態で安定して保管しておくことができる。
【００２６】
また、スプーン柄置き部１３２がコーヒーカップ受け皿１００の外周縁１０１まで達し、この外周縁１０１に角張った凹み開口部１３２ａを形成している。これによって、コーヒーカップ受け皿１００の使用に際して、コーヒーカップ受け皿１００にスプーン４００を載せた状態でスプーン４００の柄４２０の先端部をコーヒーカップ受け皿１００の周囲方向に動かすことで、コーヒーカップ受け皿全体をこれに応じて回転させることができる。これによって、クリームパッケージ３００を開封してその中のクリームをコーヒー内に半分程度入れた後、クリームがまだ残っているクリームパッケージ３００を、スプーン４００の柄４２０の先端部をコーヒーカップ受け皿１００の周囲方向に動かすことで、コーヒーを飲む人の手前側からコーヒーカップの裏側に簡単に移動させることができる。これによってクリームパッケージ３００がコーヒーカップ２００の裏側の飲む人の側から隠れた場所に位置するようになるので、うっかりとした不注意な指の動きによりクリームパッケージ３００をコーヒーカップ受け皿１００の外側に弾き飛ばしてしまうようなことがない。また、コーヒーに入れたクリームの量が少ない場合は、再度スプーン４００の柄４２０の先端部をコーヒーカップ受け皿１００の周囲方向に先ほどとは逆の向きに動かすことで、コーヒーを飲む人の手前側に簡単に移動させることができ、クリームパッケージ３００を指先でつまんで残りのクリームをコーヒーに入れることが簡単にできる。
【００２７】
なお、上述した実施形態の代わりに、スプーン柄置き部は、スプーン用凹み部にスプーンを置いた状態でスプーンの柄の先端がコーヒーカップ受け皿から離間する形状となっていても良い。すなわち、コーヒーカップ受け皿にスプーンを置いた際に、スプーンの先端がコーヒーカップ受け皿からわずかに上側か斜め上方に位置するようにスプーン柄置き部を形成しても良い。スプーン柄置き部をこのような形状とすることで、スプーンの先端を指でつまみやすくなるので、スプーンを一度使った後に再度スプーンを使う際に指で簡単にスプーンを持つことができる。また、スプーンを再度持つ際にスプーンの受け皿の部分に付着したコーヒーが柄の部分に伝わることがないので、コーヒーが指に付着するようなこともない。
【００２８】
また、上述した実施形態はコーヒーカップを置くためのコーヒーカップ受け皿に関して説明したが、上述したようにこのコーヒーカップの代わりに紅茶のカップを置いてミルクティーを飲む際に使用しても良いことは言うまでもない。
【符号の説明】
【００２９】
１００    コーヒーカップ受け皿
１０１    外周縁
１０２    底部
１４０    突出部
１１０    カップ置き用凹み部
１２０    クリームパッケージ用凹み部
１３０    スプーン用凹み部
１３１    スプーン皿置き部
１３２    スプーン柄置き部
１３２ａ    凹み開口部
２００    コーヒーカップ
２１０    底部
３００    カップ状クリームパッケージ
４００    スプーン
４１０    皿
４２０    柄
【図１】
0003196490.tif 000003
【図２】
0003196490.tif 000004
【図３】
0003196490.tif 000005
【図４】
0003196490.tif 000006
【図５】
0003196490.tif 000007
【図６】
0003196490.tif 000008
【図７】
0003196490.tif 000009
【図８】
0003196490.tif 000010
【図９】
0003196490.tif 000011
【図１０】
0003196490.tif 000012
【図１１】
0003196490.tif 000013